(57)【要約】【課題】ＳＩＭカードのような情報カードを差し替えて無線端末に装着しても、快適に無線端末をユーザに使用させることができる無線端末およびその制御方法を提供すること。【解決手段】無線通信を行う上で必要な設定情報が記録されているＳＩＭカードを取り込み、取り出しができる無線端末１０は、設定情報を記憶するメモリ１８と、メモリ１８に記憶されている設定情報に基づいて無線通信を行う無線通信部１１、２１と、取り込まれたＳＩＭカードに記録された設定情報の内容と、メモリ１８に記憶された設定情報の内容とが異なる場合において、無線通信を要求するイベントがあったとき、ＳＩＭカードに記録された設定情報に、メモリ１８の設定情報を書き替えてから、無線通信を行う通信処理部１４と、を備える。【選択図】図２
2018110351.tif 000002
【特許請求の範囲】
【請求項１】
無線通信を行う上で必要な設定情報が記録されている情報カードを取り込み、取り出しができる無線端末において、
前記設定情報を記憶するメモリと、
前記メモリに記憶されている設定情報に基づいて無線通信を行う無線通信部と、
取り込まれた情報カードに記録された設定情報の内容と、前記メモリに記憶された設定情報の内容とが異なる場合において、無線通信を要求するイベントがあったとき、前記情報カードに記録された設定情報に、前記メモリの設定情報を書き替えてから、無線通信を行う通信処理部と、を備えた無線端末。
【請求項２】
請求項１に記載の無線端末において、
前記設定情報の内容は、通信事業者を特定するための事業者特定情報を含み、
それぞれの設定情報の事業者特定情報が異なる場合において、無線通信を要求するイベントがあったとき、前記通信処理部は、前記情報カードに記録された設定情報に、前記メモリの設定情報を書き替えてから、無線通信を行う無線端末。
【請求項３】
請求項２に記載の無線端末において、
前記設定情報の内容は、サービスに関する情報を含み、
それぞれの設定情報のサービスに関する情報が異なる場合において、無線通信を要求するイベントがあったとき、前記通信処理部は、前記情報カードに記録された設定情報に、前記メモリの設定情報を書き替えてから、無線通信を行う無線端末。
【請求項４】
請求項１に記載の無線端末において、
前記情報カードが前記無線端末に取り込まれたとき、前記通信処理部は、取り込まれた情報カードに記録された設定情報の内容と、前記メモリに記憶された設定情報の内容とが異なる場合において、無線通信を要求するイベントがあったとき、前記情報カードに記録された設定情報に、前記メモリの設定情報を書き替えてから、無線通信を行う無線端末。
【請求項５】
請求項１に記載の無線端末において、
前記無線端末の起動時、前記通信処理部は、取り込まれた情報カードに記録された設定情報の内容と、前記メモリに記憶された設定情報の内容とが異なる場合において、無線通信を要求するイベントがあったとき、前記情報カードに記録された設定情報に、前記メモリの設定情報を書き替えてから、無線通信を行う無線端末。
【請求項６】
請求項１に記載の無線端末において、
前記無線端末の通信再開時、前記通信処理部は、取り込まれた情報カードに記録された設定情報の内容と、前記メモリに記憶された設定情報の内容とが異なる場合において、無線通信を要求するイベントがあったとき、前記情報カードに記録された設定情報に、前記メモリの設定情報を書き替えてから、無線通信を行う無線端末。
【請求項７】
無線通信を行う上で必要な設定情報が記録されている情報カードを取り込み、取り出しができる無線端末の制御方法において、
前記設定情報を記憶するメモリと、
前記メモリに記憶されている設定情報に基づいて無線通信を行う無線通信部とを備えた無線端末の制御方法において、
取り込まれた情報カードに記録された設定情報の内容と、前記メモリに記憶された設定情報の内容とが異なる場合において、無線通信を要求するイベントがあったとき、前記情報カードに記録された設定情報に、前記メモリの設定情報を書き替えてから、無線通信を行う無線端末の制御方法。
【発明の詳細な説明】
【技術分野】
【０００１】
本発明は、ＳＩＭカードのような情報カードを用いた無線端末およびその制御方法に関する。
【背景技術】
【０００２】
近年の移動通信ネットワークは、３ＧＰＰ（3rd Generation Partnership Project）で規定されるＩＭＳ（IP Multimedia Subsystem）が導入されている。ＩＭＳでは、音声通信の開始や切断を行うセッション制御のためのプロトコルとして、ＩＥＴＦ（Internet Engineering Task Force）で規定されたＳＩＰ（Session Initiation Protocol）が採用されている（例えば、特許文献１参照）。
【０００３】
第４世代移動通信システムとして、ＬＴＥ（Long Term Evolution）が普及している。ＬＴＥ上で音声ＩＰ通信を行うＶｏＬＴＥ（Voice over LTE）のサービスが複数の通信事業者で提供されている。
【０００４】
一方、このようなサービスの提供を受ける上で、当該サービスに対応したＳＩＭカード（Subscriber Identity Module Card）またはＵＩＭ（User Identity Module）カード（これらを以下、単にＳＩＭカードという）を差し替えて無線端末に装着することが必要になる場合がある。ＳＩＭカードは、無線端末の契約者（ユーザ）情報などが記憶されたＩＣカードである。
【先行技術文献】
【特許文献】
【０００５】
【特許文献１】特開２０１５−０３７２７５号公報
【発明の概要】
【発明が解決しようとする課題】
【０００６】
本発明は、ＳＩＭカードのような情報カードを差し替えて無線端末に装着しても、快適に無線端末をユーザに使用させることができる無線端末およびその制御方法を提供するものである。
【課題を解決するための手段】
【０００７】
本願の無線端末は、無線通信を行う上で必要な設定情報が記録されている情報カードを取り込み、取り出しができる無線端末において、前記設定情報を記憶するメモリと、前記メモリに記憶されている設定情報に基づいて無線通信を行う無線通信部と、取り込まれた情報カードに記録された設定情報の内容と、前記メモリに記憶された設定情報の内容とが異なる場合において、無線通信を要求するイベントがあったとき、前記情報カードに記録された設定情報に、前記メモリの設定情報を書き替えてから、無線通信を行う通信処理部と、を備えた構成を有する。
【発明の効果】
【０００８】
本発明は、ＳＩＭカードのような情報カードを差し替えて無線端末に装着しても、快適に無線端末をユーザに使用させることができる無線端末およびその制御方法を提供するものである。
【図面の簡単な説明】
【０００９】
【図１】本実施の形態に係る無線通信システムを示す図である。
【図２】本実施例に係る無線端末のブロック図である。
【図３】本実施例に係る無線端末のブロック間のシーケンス図である。
【図４】本実施例に係る無線端末の動作を示すフローチャートである。
【図５】本実施例に係る無線端末の動作を示すフローチャートである。
【図６】本実施例に係る無線端末の動作を示すフローチャートである。
【発明を実施するための形態】
【００１０】
以下、本実施の形態について、図面を参照して説明する。
【００１１】
図１は、本実施の形態に係る無線通信システムの構成図である。図１に示した無線通信システムは、無線端末１０、無線端末９、ネットワーク８Ａ、ネットワーク８Ｂ、基地局４Ａ、基地局４Ｂ、および基地局３Ａを有している。
【００１２】
基地局３Ａ、基地局４Ａ、ネットワーク８Ａは、通信事業者Ａによって提供されており、基地局４Ｂ、ネットワーク８Ｂは、通信事業者Ｂによって提供されている。以降、基地局４またはネットワーク８を区別せず説明するときには、単に基地局４またはネットワーク８と記載し、基地局４またはネットワーク８を区別して説明するときには、基地局４Ａ、４Ｂ、またはネットワーク８Ａ、８Ｂと記載する。
【００１３】
基地局４は、第４世代移動通信システムに対応した基地局であり、基地局３は、第３世代移動通信システムに対応した基地局である。
【００１４】
無線端末１０および無線端末９は、例えば、スマートフォン、タブレット、または携帯電話機等である。無線端末１０および無線端末９は、通信モジュールのような無線通信機器でもよい。
【００１５】
図２は、本実施例に係る無線端末のブロック図である。無線端末１０は、無線通信部１１、操作入力部１５Ａ、表示部１５Ｂ、音声入出力部１５Ｃ、制御部１６、ＯＳ（Operating System）１７、メモリ１８、バッテリ１９、カード駆動部２０、および、無線通信部２１を有している。本実施の形態では、無線端末１０をスマートフォンまたは携帯電話機のような構成として説明しているが、特にそのようなものに限定することはない。無線端末１０は、通信モジュールのような無線通信機器でもよい。
【００１６】
図２で示した無線端末１０のブロックは、実製品を簡易的に示したものであり、ＧＰＳ通信、無線ＬＡＮ、近距離通信、センサ通信等を実現するモジュール、または加速度センサなど多種多様な電子部品も実装される場合もあるが、本実施例では省略している。
【００１７】
無線通信部１１および無線通信部２１は、無線広域エリアネットワーク（ＷＷＡＮ：Wireless Wide Area Network）と無線通信を行うようになっている。例えば、無線通信部１１は、第４世代移動通信システムに対応したものであり、無線通信部２１は、第３世代移動通信システムに対応したものである。
【００１８】
無線通信部１１は、送信部１２、受信部１３、および通信処理部１４によって構成され、基地局４と通信するためのアンテナ（図２では図示していない）から無線信号を送受信するものである。例えば、無線通信部１１は、ＬＴＥ方式の無線通信を行うようになっている。
【００１９】
送信部１２は、制御部１６から出力されたデータを符号化・変調し、変調されたものを無線信号として基地局４に送信するようになっている。受信部１３は、基地局４から無線信号を受信した場合、その信号を復調・復号したものをデータとして制御部１６に出力するものである。
【００２０】
通信処理部１４は、主にＩＭＳを実現するためのものであり、無線通信部１１を制御することで、基地局との接続、および、種々のサービスに必要な処理を実行するようになっている。
【００２１】
無線通信部２１においても、無線通信部１１と同様な構成をとるが、無線通信部２１は、ＣＤＭＡ方式の無線通信を行うようになっている。ＣＤＭＡ方式には複数種類の通信方式があるが、無線通信部２１は、如何なる方式の無線通信を行ってもよい。
【００２２】
操作入力部１５Ａは、タッチパネルなどから構成され、ユーザによって操作された命令を入力するものである。表示部１５Ｂは、タッチパネルなどのディスプレイである。音声入出力部１５Ｃは、主に通話で必要となる音声を収音するマイクロフォンおよび音声を出力するスピーカである。
【００２３】
制御部１６は、無線端末１０に実装される電子部品を制御するコントローラであり、例えばプログラムを実行するＣＰＵ(Central Processing Unit)、ＲＯＭ(Read Only Memory)、ＲＡＭ(Random Access Memory)、バックアップＲＡＭ、Ｉ／Ｏ(Input / Output)等よりなるマイクロコンピュータを主体として構成される。
【００２４】
ＯＳ１７は、コンピュータの基本的な機能などを実装したソフトウェアであり、そのソフトウェアは、制御部１６によって実行される。ＯＳ１７は、無線端末１０に実装される電子部品の基本的な管理や制御のための機能、および、多くのソフトウェアが共通して利用でき、システム全体を管理するソフトウェアである。
【００２５】
メモリ１８は、無線端末１０を制御する上で必要なプログラムおよび情報を記憶している。例えば、メモリ１８は、不揮発性メモリ、フラッシュメモリ、ＥＥＰＲＯＭ（Electronically Erasable and Programmable Read Only Memory）などによって構成される。メモリ１８は、簡易的に１つのブロックで図示しているが、上述のような複数の記憶媒体によって構成されてもよい。
【００２６】
メモリ１８には、無線通信を行う上で必要な設定情報が記憶されている。例えば、設定情報には、通信事業者に対応した基地局と接続を行うための情報がある。また、メモリ１８には、ＶｏＬＴＥのサービスを受けるため、位置情報を登録する際の情報、電話番号に関する情報など様々な設定情報が記憶されている。例えば、無線通信部１１、２１は、メモリ１８に記憶されている設定情報に基づいて無線通信を行う。例えば、無線通信部１１、２１は、基地局と接続を行い、ＶｏＬＴＥなどのサービスを受ける処理を実行する。
【００２７】
バッテリ１９は、例えば充電池であり、無線端末１０に実装される各電子部品に電力を供給するものである。
【００２８】
カード駆動部２０は、ＳＩＭカード（またはＵＩＭカード）と呼ばれるＩＣカード、すなわち情報カードを駆動するようになっている。カード駆動部２０は、ＳＩＭカードを取り込み、取り出しができる。カード駆動部２０は、通信処理部１４またはＯＳ１７から設定情報の読み出しや書き込みを受けた場合、ＳＩＭカードに記録された設定情報の読み出し、ＳＩＭカードへの書き込みを行うようになっている。
【００２９】
ＳＩＭカードは、加入者を特定するための情報、通信事業者を特定するための事業者特定情報、および加入者が契約している利用可能なサービスに関する情報などが記録されたＩＣカードである。
【００３０】
ＳＩＭカードは、主に、通信事業者から支給される。無線端末１０のユーザは、通信事業者ＡのＳＩＭカードから、通信事業者ＢのＳＩＭカードを使用してもよい。その際に、ユーザは、通信事業者ＡのＳＩＭカードから通信事業者ＢのＳＩＭカードに差し替えて無線端末１０に装着する。
【００３１】
また、ユーザは、通信事業者Ａから提供されるサービスの一部を変更し、変更したサービスを利用する場合、そのサービスに対応したＳＩＭカードに差し替えることもある。サービスは、追加、削除、または変更されてもよい。
【００３２】
ＳＩＭカードは、サービスを受ける上で必要な設定情報が記録されている。例えば、ＶｏＬＴＥのサービスを受けるためには、位置情報を登録する際の情報、電話番号に関する情報など様々な設定情報がある。これらの情報は、ネットワーク上のＳＩＰサーバ（ＳＩＰに準拠したサーバ）に、ＲＥＧＳＴＥＲメソッド、ＩＮＶＩＴＥメソッドを通じて送信される。
【００３３】
ＳＩＭカードの挿入（取り込み）時、無線端末１０の起動時、または通信再開時（例えば、機内モードのＯＦＦからＯＮに設定したとき）などに、通信処理部１４は、ＳＩＭカードに記録されている設定情報を読み出してメモリ１８に書きこみを行う。
【００３４】
また、ＯＳ１７は、基地局との接続、および、種々のアプリケーションから要求される指示を実行する。例えば、ＯＳ１７は、ＳＩＭカードの挿入時、無線端末１０の起動時、通信再開時、または通信圏外から圏内に戻る時などに、基地局との接続を行うように通信処理部１４に命令するようになっている。例えば、ＶｏＬＴＥなどで通話を行う場合には、ＯＳ１７は、ＶｏＬＴＥのためのアプリケーションから要求される指示を通信処理部１４に命令するようになっている。
【００３５】
ＯＳ１７は、アプリケーションから要求された指示を実行する際に、その指示に必要な設定情報（例えば、事業者特定情報など）がメモリ１８に存在し、その設定情報を基にして通信処理部１４に命令することがある。
【００３６】
なお、通信処理部１４は、無線通信部１１の一部として無線通信部１１によって実行されるように説明したが、ＯＳ１７の一部として存在してもよく、制御部１６によって実行されてもよい。
【００３７】
図３は、本実施例に係る無線端末のブロック間のシーケンス図である。
【００３８】
ＳＩＭカードの挿入時または無線端末１０の起動時（例えば電源ＯＮ時）、ＳＩＭカードの挿入通知が通信処理部１４に出力される（ステップＳ１）。一方、ＳＩＭカードの挿入通知がＯＳ１７に出力される（ステップＳ２）。ステップＳ１およびステップＳ２は同時期に実行される。
【００３９】
ＯＳ１７は、ＳＩＭカードの挿入通知を受けた時、無線端末１０の状態に応じた処理がなされる。このとき、ＳＩＭカードに対応した基地局と接続を行うための基地局接続要求がＯＳ１７から通信処理部１４に出力される（ステップＳ３）。なお、実施例として基地局接続要求で説明したが、基地局接続要求に限定することはなく、無線通信を要求するイベントであればよい。
【００４０】
図４は、本実施例に係る無線端末の動作を示すフローチャートである。詳細には、図３のステップＳ３に続く、通信処理部１４の動作を示すフローチャートである。
【００４１】
図３のステップＳ３にて、ＳＩＭカードに対応した基地局と接続を行うための基地局接続要求がＯＳ１７から通信処理部１４に出力されたとき（ステップＳ３１）、通信処理部１４は、基地局接続要求が出力されたことを認識する（ステップＳ３２）。例えば、通信処理部１４は、基地局接続要求が出力されたことを示すフラグをＯＮにする。
【００４２】
ステップＳ３２では、基地局接続は実行しない。例えば、ユーザが通信事業者ＡのＳＩＭカードから通信事業者ＢのＳＩＭカードに差し替えて無線端末１０に装着する前には、メモリ１８には、通信事業者Ａに対応した設定情報が記憶されている。通信事業者Ｂに対応したＳＩＭカードが差し替えられたとき、通信事業者Ａに対応した設定情報が記録されたままだと、通信処理部１４は、通信事業者Ａに対応した基地局に接続を実行してしまうため、ステップＳ３２では、基地局接続は実行しない。
【００４３】
図５は、本実施例に係る無線端末の動作を示すフローチャートである。詳細には、図３のステップＳ１に続く、通信処理部１４の動作を示すフローチャートである。
【００４４】
図３のステップＳ１にて、ＳＩＭカードの挿入通知が通信処理部１４に出力されたとき（ステップＳ１１）、通信処理部１４は、ＳＩＭカードに記録された設定情報を読み出すとともに、メモリ１８に記録された設定情報を読み出す（ステップＳ１２）。
【００４５】
ＳＩＭカードに記録された事業者特定情報と、メモリ１８に記録された事業者特定情報が一致する場合（ステップＳ１３のｙｅｓ）、処理は終了する。事業者特定情報が一致しない場合（ステップＳ１３のｎｏ）、通信処理部１４は、ＯＳ１７から基地局接続要求が出力されているか否か確認する（ステップＳ１４）。
【００４６】
例えば、事業者特定情報が一致しない場合とは、直前に使用していたＳＩＭカードとは異なるＳＩＭカードが差し替えられた場合が想定される。事業者特定情報が一致する場合とは、ユーザが同じＳＩＭカードを差し替えた場合が想定される。
【００４７】
基地局接続要求が出力されていない場合（ステップＳ１４のｎｏ）、通信処理部１４は、基地局接続要求を待ち合わせ、基地局接続要求が出力されている場合（ステップＳ１４のｙｅｓ）、通信処理部１４は、ＳＩＭカードに記録された設定情報をメモリ１８に書き込み、ＳＩＭカードに対応した新たな基地局に接続する処理を実行する（ステップＳ１５）。
【００４８】
例えば、ユーザが通信事業者ＡのＳＩＭカードから通信事業者ＢのＳＩＭカードに差し替えて無線端末１０に装着する前には、メモリ１８には、通信事業者Ａに対応した設定情報が記憶されている。通信事業者Ｂに対応したＳＩＭカードが差し替えられたとき、通信事業者Ｂに対応した設定情報をメモリ１８に書き替えてから、例えば、無線通信部１１、２１を再起動することにより、通信処理部１４は、通信事業者Ｂに対応した基地局に接続する処理を実行するため、通信事業者Ａに対応した基地局に接続を実行することはない。
【００４９】
以上説明したように、ユーザがＳＩＭカードを差し替えて無線端末１０に装着しても、無線端末１０は適正な基地局に接続するため、快適に無線端末１０をユーザに使用させることができる。
【００５０】
図６は、本実施例に係る無線端末の動作を示すフローチャートである。図５で説明したフローチャートと同じ動作には同じ符号を付し、それぞれの説明を省略する。本フローチャートは、ＳＩＭカードに記録された事業者特定情報が一致する場合のフローチャートである。
【００５１】
ＳＩＭカードに記録された事業者特定情報と、メモリ１８に記録された事業者特定情報が一致する場合（ステップＳ１３のｙｅｓ）、通信処理部１４は、ステップＳ２０を実行する。
【００５２】
ステップＳ２０では、ＳＩＭカードに記録されたサービスの内容と、メモリ１８に記録されたサービスの内容が一致する場合、処理は終了する。例えば、ＳＩＭカードに記録されたサービスがＶｏＬＴＥを含んでおり、メモリ１８に記録されたサービスがＶｏＬＴＥを含んでいない等、様々なケースが想定される。
【００５３】
ステップＳ２０で、ＳＩＭカードに記録されたサービスの内容と、メモリ１８に記録されたサービスの内容が一致しない場合、通信処理部１４は、ＯＳ１７から基地局接続要求が出力されているか否か確認する（ステップＳ１４）。以降の動作は、図５で説明したフローチャートと同様である。
【００５４】
例えば、ユーザが通信事業者ＡのＳＩＭカード（ＶｏＬＴＥなし）から通信事業者ＡのＳＩＭカード（ＶｏＬＴＥあり）に差し替えて無線端末１０に装着する前には、メモリ１８には、通信事業者Ａに対応した設定情報（ＶｏＬＴＥなし）が記憶されている。通信事業者ＡのＳＩＭカード（ＶｏＬＴＥあり）が差し替えられたとき、通信処理部１４は、通信事業者ＡのＳＩＭカード（ＶｏＬＴＥあり）の設定情報をメモリ１８に書き替えてから、例えば、無線通信部１１、２１を再起動することにより、基地局に接続する処理を実行するため、ＶｏＬＴＥのサービスを受けるための電話番号などの設定情報を、ＳＩＰに準拠したネットワーク上のサーバまたは基地局に送信することができる。
【００５５】
ユーザがＶｏＬＴＥを利用する際に、通信事業者ＡのＳＩＭカード（ＶｏＬＴＥあり）の設定情報をメモリ１８に書き替えてから基地局に接続する処理を実行するため、メモリ１８に書き替える前の設定情報で基地局に接続するといった不具合が起こる恐れはない。
【００５６】
以上説明したように、ユーザがＳＩＭカードを差し替えて無線端末１０に装着しても、無線端末１０は適切にサービスを利用する動作を実行するため、快適に無線端末１０をユーザに使用させることができる。
【符号の説明】
【００５７】
３、４  基地局
８  ネットワーク
９、１０  無線端末
１１、２１  無線通信部
１２  送信部
１３  受信部
１４  通信処理部
１５Ａ  操作入力部
１５Ｂ  表示部
１５Ｃ  音声入出力部
１６  制御部
１７  ＯＳ
１８  メモリ
１９  バッテリ
２０  カード駆動部
【図１】
2018110351.tif 000003
【図２】
2018110351.tif 000004
【図３】
2018110351.tif 000005
【図４】
2018110351.tif 000006
【図５】
2018110351.tif 000007
【図６】
2018110351.tif 000008